(57)【特許請求の範囲】
【請求項１】
係止フックと、前方に突出する左右の係合フックと、前方に斜めに屈曲する下部に形成する係合突部とを備えてなり、前記係合フックを柱材の係合孔に挿入するとともに、前記係合突部を柱材の凹部に係合させて柱材に装着することを特徴とする間仕切パネル用のフック金具。
【請求項２】
前記係合フックは、支持部を介して前方に突出することを特徴とする請求項１記載の間仕切パネル用のフック金具。
【請求項３】
前記係合フックは、前記支持部の上方に抜け止め部を有することを特徴とする請求項２記載の間仕切パネル用のフック金具。
【請求項４】
前記係合フックは、前記支持部の下方に押え部を有することを特徴とする請求項２または請求項３記載の間仕切パネル用のフック金具。
【発明の詳細な説明】
【０００１】
【発明の属する技術分野】
この発明は、柱材に対してパネル材を取り付ける際に使用する間仕切パネル用のフック金具に関する。
【０００２】
【従来の技術】
間仕切りシステムを構築するに際し、パネル材を柱材に取り付けるために、専用のフック金具を使用することがある（特開平１−１９０８５７号公報）。
【０００３】
このものは、左右に係止フックを有する平板状の板材からなり、下部には、位置決め用のリブが前向きに形成されている。そこで、このものは、柱材の側面に形成する長孔にリブを挿入して位置決めし、柱材の側面にねじ止めすることができる。また、フック金具は、係止フックにパネル材を係止することにより、柱材にパネル材を取り付けることができる。
【０００４】
【発明が解決しようとする課題】
かかる従来技術によるときは、フック金具は、柱材にねじ止めしなければならず、組立作業が煩雑であり、所要作業時間が長いという問題があった。
【０００５】
そこで、この発明の目的は、かかる従来技術の問題に鑑み、斜めに屈曲する下部に係合突部を形成することによって、組立作業を簡単にし、所要作業時間を大幅に短縮することができる間仕切パネル用のフック金具を提供することにある。
【０００６】
【課題を解決するための手段】
かかる目的を達成するためのこの発明の構成は、係止フックと、前方に突出する左右の係合フックと、前方に斜めに屈曲する下部に形成する係合突部とを備えてなり、係合フックを柱材の係合孔に挿入するとともに、係合突部を柱材の凹部に係合させて柱材に装着することをその要旨とする。
【０００７】
なお、係合フックは、支持部を介して前方に突出させることができる。
【０００８】
また、係合フックは、支持部の上方に抜け止め部を有することができ、支持部の下方に押え部を有することができる。
【０００９】
【作用】
かかる発明の構成によるときは、係合フックは、柱材の側面に形成する係合孔に挿入することにより全体を支持することができ、下部に形成する係合突部を柱材の凹部に係合させることにより、全体を柱材に固定することができる。係合突部は、斜めに屈曲する下部に形成されているため、柱材の凹部に対し、弾発的に係合させることができるからである。
【００１０】
支持部を介して係合フックを前方に突出させれば、係合フックを柱材の係合孔に挿入するとき、支持部は、係合孔の下端に当接することにより全体を適切に位置決めして支持することができる。
【００１１】
係合フックは、支持部の上方に抜け止め部を有することにより、係合孔から簡単に抜け落ちるおそれがない。ただし、このときの係合フックは、支持部の下端から抜け止め部の上端までの有効高さが係合孔の高さより十分に大きいものとする。
【００１２】
係合フックは、支持部の下方に押え部を有することにより、押え部を介して柱材を内面側から押圧し、全体を柱材の表面に密着させる方向に付勢することができ、係合突部が柱材の凹部から不用意に外れることを防止する。
【００１３】
【発明の実施の形態】
以下、図面を以って発明の実施の形態を説明する。
【００１４】
間仕切りパネル用のフック金具１０は、左右の係合フック１２、１２、左右の係止フック１３、１３、下部の係合突部１４、１４を備えてなる（図１、図２）。
【００１５】
フック金具１０は、１枚の板材を屈曲して形成されている。フック金具１０は、上部に対して下部が角度θだけ前方に斜めに屈曲されている。
【００１６】
係合フック１２、１２は、それぞれ前方に屈曲する支持部１２ａを介し、前方に突出して形成されている。各係合フック１２は、支持部１２ａの上下に延長して形成されており、支持部１２ａの上方に抜け止め部１２ｃを有し、支持部１２ａの下方に押え部１２ｂを有する。抜け止め部１２ｃは、前辺側を斜めに形成して上部が幅広に形成されており、押え部１２ｂは、抜け止め部１２ｃの後辺より後方に山形に突出して形成されている。なお、支持部１２ａの下端、押え部１２ｂは、下方に開口するフック部１２ｄを形成している。
【００１７】
係止フック１３、１３は、左右に横向きに突設され、上向きに形成されている。各係止フック１３は、上部の内側を斜めに切り上げるとともに、中間部の内側に山形の突出部１３ａが形成されている。係合突部１４、１４は、前方に斜めに屈曲するフック金具１０の下部に対し、それぞれプレス加工によって前方に突設されている。
【００１８】
フック金具１０を装着する柱材２１には、係合フック１２、１２が挿入可能なスリット状の係合孔２１ａ、２１ａが形成されている。各係合孔２１ａの幅ｗは、係合フック１２の板厚より僅かに大きく、高さｈは、ｗ1 ＜ｈ＜ｈ1 に設定されている。ただし、ｗ1 は、係合フック１２の上部の抜け止め部１２ｃの最大幅であり、ｈ1 は、支持部１２ａの下端から抜け止め部１２ｃの上端までの係合フック１２の有効高さである。なお、係合フック１２の下部の押え部１２ｂは、フック部１２ｄの最小幅ｄa を柱材２１の板厚ｔより僅かに小さく設定している。また、柱材２１には、係合突部１４、１４が進入可能な凹部２１ｂ、２１ｂが係合孔２１ａ、２１ａの下方に形成されており、各凹部２１ｂは、係合突部１４より大径の孔に形成されている。
【００１９】
そこで、フック金具１０は、柱材２１の側面に対してほぼ直立させ、対応する係合孔２１ａ、２１ａに対して抜け止め部１２ｃ、１２ｃ側から係合フック１２、１２を挿入し、下方に回転させながら柱材２１に沿って移動させ（図２の矢印Ｋ1 、Ｋ2 方向）、屈曲部分の頂部付近を柱材２１に向けて強く押すことにより（同図の矢印Ｋ3 方向）、下部の係合突部１４、１４を対応する凹部２１ｂ、２１ｂに弾発的に係合させ、柱材２１に装着することができる。このとき、係合フック１２、１２、支持部１２ａ、１２ａは、係合孔２１ａ、２１ａを介して全体の傾きを防止し、支持部１２ａ、１２ａの下端が係合孔２１ａ、２１ａの下端に当接することにより、全体を正しく位置決めすることができる。
【００２０】
また、このときの押え部１２ｂ、１２ｂは、それぞれフック部１２ｄに進入する柱材２１を内面側から強く挾み込み、柱材２１を僅かに変形させる（図２の二点鎖線、実線）。そこで、フック金具１０は、柱材２１からの反力によって下部が柱材２１側に付勢されており、しかも、各抜け止め部１２ｃの上端が係合孔２１ａの上端より上方に位置していることにより、柱材２１から不用意に外れるおそれがない。なお、フック金具１０は、柱材２１との間に図示しないドライバ等の工具を挿入して係合突部１４、１４と凹部２１ｂ、２１ｂとの係合を外し、係合フック１２、１２を係合孔２１ａ、２１ａから抜き取ることにより、柱材２１から簡単に取り外すことができる。
【００２１】
かかるフック金具１０は、柱材２１にパネル材３０を取り付けるために使用する（図１、図３）。なお、柱材２１、２１…は、複数の桟材２２、２２…を介して互いに連結されており、各柱材２１の背向する各側面には、複数のフック金具１０、１０…が装着されている。
【００２２】
パネル材３０は、芯材３１の表面に鋼板からなる表面材３２を付設して構成されている。表面材３２は、芯材３１の側端面において裏面側にまで折り返されており、芯材３１の側端部に対して弾発的に当接している。また、表面材３２には、芯材３１の裏面側において、柱材２１に装着するフック金具１０、１０…の配列ピッチに対応して取付孔３２ａ、３２ａ…が形成されている。なお、各取付孔３２ａは、上部が先細に形成されており、芯材３１は、各取付孔３２ａに対応して空隙部３１ａが形成されている。
【００２３】
パネル材３０は、対応するフック金具１０の係止フック１３を各取付孔３２ａに挿入し、全体を係止フック１３、１３…に掛けるようにして、２本の柱材２１、２１に取り付けることができる。このとき、各係止フック１３は、内側の突出部１３ａと柱材２１との間に表面材３２を挾み込み、表面材３２を柱材２１側に僅かに変形させてパネル材３０を柱材２１に密着させるとともに（図４の二点鎖線）、取付孔３２ａの上端に係合してパネル材３０を支持することができる。なお、このときの係止フック１３は、取付孔３２ａの上部の先細の部分に進入し、パネル材３０を軽くロックすることができる。ただし、中間の柱材２１は、左右の側面に装着するフック金具１０、１０…を介し、前後の各面において、左右に隣接するパネル材３０、３０を支持することができる（図３、図５）。
【００２４】
なお、各フック金具１０は、一方の係止フック１３のみによってパネル材３０を支持しているときであっても、柱材２１に対して不用意に傾くことがない。フック金具１０は、左右の係合フック１２、１２、係合突部１４、１４が係合孔２１ａ、２１ａ、凹部２１ｂ、２１ｂに個別に係合しているからである。そこで、フック金具１０は、左右の係止フック１３、１３の一方を省略し、柱材２１の前面または後面にのみパネル材３０を取り付けてもよい。
【００２５】
パネル材３０を柱材２１から取り外すときは、パネル材３０を上方に移動させ、各フック金具１０の係止フック１３を取付孔３２ａから抜き取るようにパネル材３０を柱材２１から離せばよい。
【００２６】
【発明の効果】
以上説明したように、この発明によれば、前方に突出する左右の係合フックと、斜めに屈曲する下部に形成する係合突部とを設けることによって、係合フックを柱材の係合孔に挿入し、係合突部を柱材の凹部に係合させて柱材に装着することができるから、煩雑なねじ止め作業をする必要がなく、組立作業が簡単であり、所要作業時間を大幅に短縮することができるという優れた効果がある。
【図面の簡単な説明】
【図１】  使用状態を示す分解斜視説明図
【図２】  図１のＸ−Ｘ線矢視相当拡大断面図
【図３】  使用状態説明図
【図４】  図３の要部縦断面拡大説明図
【図５】  図３の要部横断面拡大説明図
【符号の説明】
１０…フック金具
１２…係合フック
１２ａ…支持部
１２ｂ…押え部
１２ｃ…抜け止め部
１３…係止フック
１４…係合突部
２１…柱材
２１ａ…係合孔
２１ｂ…凹部
【図１】
0003903295.tif 000002
【図２】
0003903295.tif 000003
【図３】
0003903295.tif 000004
【図４】
0003903295.tif 000005
【図５】
0003903295.tif 000006